(57)【要約】【課題】耐傷性と耐熱性に優れた収骨台を提供することをその主たる所期課題とするものである。【解決手段】遺骨が載せられて、その遺骨を骨壺に収めるための収骨台１であって、側壁部２１２の一部に遺骨を掃き出すための掃き出し部２１３を有し、遺骨が載せられるトレイ２１を備え、前記トレイ２１の少なくとも底面部２１１が耐熱強化ガラスからなることを特徴とする。【選択図】図１
2018009759.tif 000002
【特許請求の範囲】
【請求項１】
遺骨が載せられて、その遺骨を骨壺に収めるための収骨台であって、
側壁部の一部に遺骨を掃き出すための掃き出し部を有し、前記遺骨が載せられるトレイを備え、
前記トレイの少なくとも底面部が耐熱強化ガラスから形成されている収骨台。
【請求項２】
前記トレイの下方に断熱材が設けられていることを特徴とする請求項１の収骨台。
【発明の詳細な説明】
【技術分野】
【０００１】
本発明は、遺骨が載せられて、その遺骨を骨壺に収めるために用いられる収骨台に関するものである。
【背景技術】
【０００２】
火葬による葬儀においては、荼毘に付された遺骨を骨上げして骨壺に収めることが行われている。具体的には、荼毘に付された遺骨を火葬炉から収骨台のトレイ上に移し、そのトレイ上に移された遺骨を拾い上げて骨壺に収骨している。
【０００３】
収骨後、骨壺に入りきらなかった遺骨や遺灰（残骨灰と呼ばれる。）を収骨台のトレイから取り除くために、収骨台のトレイは刷毛などの清掃具で清掃される。
【０００４】
従来、収骨台のトレイはステンレス製のものが多く用いられている。
しかしながら、ステンレス製のものでは、清掃等により傷つきやすいという問題がある。そうすると、残骨灰がその傷の中に残留してしまう恐れがある。
【０００５】
近年では、特許文献１に示すように、遺骨に含まれる炭素から人工ダイアモンドを製作する等の遺骨から遺品を製作することが行われているが、上記のように傷の中に残留した他人の残骨灰が混ざってしまうと、遺族に不快な思いを与えてしまう恐れがある。
【０００６】
また、傷のついたトレイ上に故人の遺骨が載せられているのを見た遺族が気分を害することもある。さらには、その傷の中に他人の残骨灰が残留しているかもしれないと思って気分を害してしまうこともある。
【０００７】
このように、傷がつきやすいステンレス製のトレイを有する収骨台では、遺骨を通じて純粋に故人を偲びたいという遺族の思いを充分に叶えることができない場合がある。
【先行技術文献】
【特許文献】
【０００８】
【特許文献１】特許第４３９４０７０号公報
【発明の概要】
【発明が解決しようとする課題】
【０００９】
そこで本発明は、上記問題を解決するためになされたものであって、収骨台のトレイが傷つきにくくすることをその主たる課題とするものである。
【課題を解決するための手段】
【００１０】
すなわち、本発明に係る収骨台は、遺骨が載せられて、その遺骨を骨壺に収めるためのものであって、側壁部の一部に遺骨を掃き出すための掃き出し部を有し、前記遺骨が載せられるトレイを備え、前記トレイの少なくとも底面部が耐熱強化ガラスから形成されていることを特徴とする。
【００１１】
このようなであれば、トレイの少なくとも底面部が耐熱強化ガラスから形成されているので、ステンレス製のトレイに比べて傷がつきにくい。したがって、トレイに傷がつくことにより生じる種々の問題を解決することができ、遺骨を通じて純粋に故人を偲びたいという遺族の思いを充分に叶えることができる。また、トレイの少なくとも底面部が耐熱強化ガラスから形成されているので、高温の遺骨が載せられたとしても、トレイがひび割れなど破損する心配もない。さらに側壁部に掃き出し部を設けているので、収骨を執り行う者又は葬祭業者などが残骨灰の除去を簡単に行うことができる。
【００１２】
高温の遺骨が載せられた場合であっても、トレイ下部の部材に対する熱影響を低減するためには、前記トレイの下方に断熱材が設けられていることが望ましい。
【発明の効果】
【００１３】
このように構成した本発明によれば、収骨台のトレイが傷つきにくくして、トレイに傷がつくことにより生じる種々の問題を解決することができる。
【図面の簡単な説明】
【００１４】
【図１】本実施形態に係る収骨台の斜視図である。
【図２】同実施形態に係る天板の拡大断面図である。
【図３】同実施形態に係るトレイの斜視図である。
【発明を実施するための形態】
【００１５】
本発明の一実施形態について、図面を参照して説明する。
【００１６】
本実施形態に係る収骨台１は、遺骨が載せられて、その遺骨を骨壺に収めるために用いられるものである。
【００１７】
具体的に収骨台１は、図１及び図２に示すように、遺骨が載せられる天板２と、当該天板２を所定の高さに支持する支持体３とを備えている。
【００１８】
支持体３は、例えば概略直方体形状をなすものであり、内部に収容空間３Ｓを有する収納台である。この収容空間３Ｓは一面に開口しており、当該開口は、扉３１により開閉可能とされている。この構成により、本実施形態の収骨台１の内部には、収骨道具や清掃具を収納することができ、収骨を執り行う者又は葬祭業者などにとって便利になる。また、支持体３の底面には、図示しないキャスターが設けられており、収骨台１の移動が容易な構成としている。
【００１９】
天板２は、図２に示すように、遺骨の載せられるトレイ２１と、当該トレイ２１の下面に設けられた基板２２と、トレイ２１を取り囲むように設けられた囲い枠２３とを備えている。なお、基板２２は、その上面にトレイ２１が固定されるものであり、その外側周面にはゴムクッションによるソフトエッジ２２ｘが設けられている。基板２２の平面視の形状は、例えば略長方形の形状である。また、囲い枠２３はトレイ２１の周囲に設けられて意匠性を良くするためのメラミン化粧板を有し、その外側面にはゴムクッションによるソフトエッジ２３ｘが設けられている。
【００２０】
トレイ２１は、図２及び図３に示すように、平板状をなす概略矩形状の底面部２１１と、当該底面部２１１の各辺から起立した側壁部２１２とを有するものである。本実施形態の側壁部２１２は、底面部２１１から略直角となるように起立しているが、底面部２１１から傾斜して起立するものであっても良い。
【００２１】
また、側壁部２１２の一部には、図１及び図３に示すように、遺骨を掃き出すための掃き出し部２１３が形成されている。この掃き出し部２１３は、底面部２１１に残った残骨灰をトレイ２１の外部に吐き出すためのものであり、本実施形態では、４辺の側壁部２１２のうち短手辺の側壁部２１２の略中央部に形成されている。具体的に掃き出し部２１３は、側壁部２１２の一部を外側に突出させることにより形成されている。掃き出し部２１３の縦断面形状は、概略上向きコの字形状をなすものであり、その底面部は、トレイ２１の底面部２１１を構成する共通の板材により構成されている。
【００２２】
しかして、本実施形態のトレイ２１は、その全体が耐熱強化ガラスにより形成されている。具体的には、底面部２１１（掃き出し部２１３の底面部を含む。）を構成する耐熱強化ガラスと、側壁部２１２（掃き出し部２１３の側壁部を含む。）を構成する耐熱強化ガラスとを、耐熱性を有する接着剤により接着又は溶着することにより形成される。
【００２３】
また、トレイ２１の下方には、図２に示すように、断熱材２４が設けられている。具体的に断熱材２４は、トレイ２１と基板２２との間に、トレイの底面部２１１全体に対応して設けられている。なお、断熱材２４は、トレイの下面に接触して設けられているが、隙間又はその他の中間部材を介して設けられたものであっても良い。
【００２４】
このように構成した本実施形態の収骨台１によれば、トレイ２１の少なくとも底面部２１１が耐熱強化ガラスから形成されているので、ステンレス製のトレイに比べて傷がつきにくい。したがって、トレイ２１に傷がつくことにより生じる種々の問題を解決することができ、遺骨を通じて純粋に故人を偲びたいという遺族の思いを充分に叶えることができる。また、トレイ２１の少なくとも底面部２１１が耐熱強化ガラスから形成されているので、高温の遺骨が載せられたとしても、トレイ２１がひび割れなど破損する心配もない。さらに側壁部２１２に掃き出し部２１３を設けているので、収骨を執り行う者又は葬祭業者などが残骨灰の除去を簡単に行うことができる。
【００２５】
その上、トレイ２１の下方に断熱材２４が設けられているので、高温の遺骨が載せられた場合であっても、トレイ２１下部の部材に対する熱影響を低減することができる。
【００２６】
なお、本発明は前記実施形態に限られるものではない。
【００２７】
例えば、前記実施形態では、トレイ２１の底面部２１１全体を耐熱強化ガラスにより形成しているが、底面部２１１の上面部分を耐熱強化ガラスにより形成したものであっても良い。また、トレイ２１の少なくとも底面部２１１が耐熱強化ガラスであればよく、側壁部２１２は耐熱強化ガラスでなくても良い。
【００２８】
また、前記実施形態では、トレイ２１の下方に断熱材２４を設けたものであったが、断熱材２４を設けない構成としても良い。
【００２９】
さらに、前記実施形態では支持体３の形状を略直方体形状とし、天板２の平面視形状を略長方形形状としているが、支持体３の形状を円柱形状とし、天板２の平面視形状を円形形状とするなど、火葬場の雰囲気に合わせたデザイン変更が可能である。
【００３０】
その他本発明は、前記実施形態に限られず、その趣旨を逸脱しない範囲で種々変形が可能である。
【符号の説明】
【００３１】
１    ・・・収骨台
２    ・・・天板
２１  ・・・トレイ
２１１・・・底面部
２１２・・・側壁部
２１３・・・掃き出し部
２２  ・・・基板
２３  ・・・囲み枠
２４  ・・・断熱材
３    ・・・支持体
３１  ・・・扉
３Ｓ  ・・・収納空間
【図１】
2018009759.tif 000003
【図２】
2018009759.tif 000004
【図３】
2018009759.tif 000005